(57)【要約】 【課題】ランプ固定ユニット【解決手段】ランプ固定ユニットは接続端子及び本体を含む。接続端子は、ランプの長軸方向と平行な方向に延長される水平板、及び前記水平板から前記長軸方向と交差する方向に延長され前記ランプの接続線を収納する接続凹が形成され接続線と接触する接続板を含む。また、キャップを装着した場合、キャップに形成された圧着面は接続端子の連結板３３を両側面で圧迫して接続線１１０が接続凹３５３の内部に圧着されるようにして堅固に装着される。本体は、前記接続端子と結合され前記ランプをガイドする。従って、ランプが安定的にホールディングされ不良が減少する。【選択図】    図１
2008210806.tif 000002
【特許請求の範囲】
【請求項１】
挿入されるランプの長軸方向と平行な方向に延長される水平板、及び前記水平板から前記長軸方向と交差する方向に延長され前記挿入されるランプの接続線を収納する接続凹が形成され前記接続線と接触する接続板を含む接続端子と、
前記接続端子と結合され前記挿入されるランプをガイドする本体と、を含むランプ固定ユニット。
【請求項２】
前記本体の上部と結合され前記接続端子の側面を加圧して前記接続端子と前記接続線との間の結合力を増加させるキャップユニットを更に含むことを特徴とする請求項１記載のランプ固定ユニット。
【請求項３】
前記接続端子は、互いに離隔して配置される２つの水平板、前記水平板から延長される２つの接続板、及び前記接続板の上面を連結して前記接続線が通過するスリットが形成された連結板を更に含むことを特徴とする請求項１記載のランプ固定ユニット。
【請求項４】
前記接続板及び前記連結板は、側面から見た時、Ｕ字形状を有することを特徴とする請求項３記載のランプ固定ユニット。
【請求項５】
前記接続板には、前記接続凹の下方に一定深さに切開される切開線が追加的に形成されることを特徴とする請求項１記載のランプ固定ユニット。
【請求項６】
挿入されるランプの長軸方向と平行な方向に延長される水平板、及び前記水平板から前記長軸方向と交差する方向に延長され前記挿入されるランプの接続線を収納する接続凹が形成され前記接続線と接触する接続板を含む接続端子と、
前記接続端子と結合され前記ランプをガイドする本体と、
前記本体と結合され前記接続端子と前記接続線との間の結合力を増加させるキャップユニットと、を含むランプ固定ユニット。
【請求項７】
前記キャップユニットは、前記接続端子の側面を加圧することを特徴とする請求項６記載のランプ固定ユニット。
【請求項８】
前記接続板の側面下部には、下方に傾いた階段形状を有する圧着口が追加的に形成されることを特徴とする請求項７記載のランプ固定ユニット。
【請求項９】
前記キャップユニットは、前記接続凹の上部から前記接続線を加圧することを特徴とする請求項６記載のランプ固定ユニット。
【請求項１０】
挿入されるランプの長軸方向と平行な方向に延長される水平板、及び前記水平板から前記長軸方向と交差する方向に延長され前記ランプの接続線を収納する接続凹が形成され前記接続線と接触する複数個の接続板を含む接続端子と、
前記接続端子と結合され前記ランプをガイドする本体と、を含むランプ固定ユニット。
【請求項１１】
前記接続端子は、前記接続板とそれぞれ結合される複数個の水平板を更に含むことを特徴とする請求項１０記載のランプ固定ユニット。
【請求項１２】
前記接続端子は、前記接続板を連結する連結板を更に含むことを特徴とする請求項１１記載のランプ固定ユニット。
【発明の詳細な説明】
【技術分野】
【０００１】
本発明はランプ固定ユニットに関し、特に、大型ＬＣＤ（Ｌｉｑｕｉｄ  Ｃｒｙｓｔａｌ  Ｄｉｓｐｌａｙ）  ＴＶ（テレビ）のバックライトとして使用されるＣＣＦＬ（冷陰極蛍光灯）を簡単に電線と連結させ、接触不良によるノイズやスパークが発生することを防止するランプ固定ユニットに関する。
【背景技術】
【０００２】
一般的にＬＣＤ  ＴＶは高輝度を要求して多数の蛍光灯を使用することになるが、普通３７インチ以下の液晶表示装置には外部電極蛍光灯（ＥＥＦＬ）を使用し、３７インチ以上の大型液晶表示装置には冷陰極蛍光灯（ＣＣＦＬ）を使用している。
【０００３】
このような冷陰極蛍光灯を電線と連結するためには蛍光灯固定ユニットを使用しているが、従来技術による蛍光灯固定ユニットは、「バックライトランプ固定ソケット（韓国出願番号１０−２００５−６６０１９号）」という名称で先出願されている。
【０００４】
しかし、先出願されたバックライトランプ固定ソケットは、内側板２１２と外側板２１４の弾性力によってランプを固定する構成である。内側板２１２と外側板２１４の厚みは、０．１５ｍｍ程度の非常に薄い金属薄板からなるので、蛍光灯を支持する程度の弾性力が維持されることができず、このような弾性力不足によって蛍光灯の組立時や組立後には外部の衝撃によって蛍光灯が離脱されるか、接触不良の原因になるという問題点がある。
【発明の開示】
【発明が解決しようとする課題】
【０００５】
従って、本発明は、前述したような問題点を解決するためのもので、本発明の目的は、蛍光灯との電気的な接触が安定的に行われノイズやスパークの発生を抑制し、装着される蛍光灯を確実に固定することができるランプ固定ユニットを提供することにある。
【課題を解決するための手段】
【０００６】
前記のような本発明の目的を達成するための一実施例によるランプ固定ユニットは、接続端子及び本体を含む。接続端子は、ランプの長軸方向と平行な方向に延長される水平板、及び水平板から長軸方向と交差する方向に延長されランプの接続線を収納する接続凹が形成され接続線と接触する接続板を含む。本体は、接続端子と結合し挿入されるランプをガイドする。
【０００７】
本発明の目的を達成するための一実施例によるランプ固定ユニットは、本体の上部と結合して接続端子の側面を加圧して接続端子と接続線との間の結合力を増加させるキャップユニットを更に含んでもよい。
【０００８】
接続端子は互いに離隔して配置される２つの水平板、水平板から延長される２つの接続板、及び接続板の上面を連結して接続線が通過するスリットが形成された連結板を更に含んでもよい。
【０００９】
接続板及び連結板は、側面から見たとき、Ｕ字形状を有してもよい。
【００１０】
接続板には接続線の下部に一定深さに切開される切開線が追加的に形成されてもよい。
【００１１】
本発明の他の実施例によるランプ固定ユニットは、接続端子、本体、及びキャップユニットを含む。接続端子は、ランプの長軸方向と平行な方向に延長される水平板、及び水平板から長軸方向と交差する方向に延長されランプの接続線を収納する接続凹が形成され接続線と接触する接続板を含む。本体は、接続端子と結合してランプをガイドする。キャップユニットは、本体と結合して接続端子と前記接続線との間の結合力を増加させる。
【００１２】
キャップユニットは、接続端子の側面を加圧してもよい。
【００１３】
接続板の側面下部には、下部に傾いた階段形状を有する圧着口が追加に形成されてもよい。
【００１４】
前記キャップユニットは、切開部の上部から接続線を加圧してもよい。
【００１５】
本発明の更に他の実施例によるランプ固定ユニットは、接続端子及び本体を含む。接続端子は、挿入されるランプの長軸方向と平行な方向に延長される水平板、及び水平板から長軸方向と交差する方向に延長されランプの接続線を収納する接続凹が形成され接続線と接触する複数個の接続板を含む。本体は、接続端子と結合してランプをガイドする。
【００１６】
接続端子は、接続板とそれぞれ結合される複数個の水平板を更に含んでもよい。
【００１７】
接続端子は、接続板を連結する連結板を更に含んでもよい。
【発明の効果】
【００１８】
本発明の前記のような構成によって、蛍光灯との電気的な接続が安定的に行われノイズやスパークの発生を抑制し、装着される蛍光灯を確実に固定することができる
【発明を実施するための最良の形態】
【００１９】
以下、添付図面を参照して本発明の好ましい実施例を説明し、図面全体を通じて同一部分には同一図面符号を付与する。
【００２０】
図１は、本発明の一実施例による固定ユニットの斜視図で、図２は、図１の固定ユニットの分解斜視図である。
【００２１】
図示されたように、図面符号１０で図示した本発明によるランプ固定ユニットは、本体２０、接続端子３０、及びキャップ４０で構成される。本体２０は、接続端子３０と蛍光灯１００（図示せず）の接続線１１０（図示せず）を互いに連結させる部分であって、上部が開放されたボックス形状で、下部面から上部に貫通される貫通口２７が形成され接続端子３０を挿入させることができる形状で、一側面には蛍光灯１００が装着される蛍光灯支持凹２５が形成される。
【００２２】
そして、図示されたように、前記本体２０の中間部位に位置する隔壁２６によって第１隔室２１と第２隔室２２が形成され、第１隔室２１の側面には蛍光灯１００の一部が装着される蛍光灯支持凹２５が形成され、又、隔壁２６の上端部には蛍光灯１００の接続線１１０が装着される一定深さだけ下方向に形成される接続線支持凹２３が形成される。
【００２３】
本体２０の第２隔室２２の隔壁２６と隣接した部位には上下に貫通される貫通口２７が形成されて、後述する接続端子３０が装着され、第２隔室２２の側面には凹部２４が形成されて後述するキャップ４０の突起４４が装着される。又、隔壁２６の第２隔室２２側にはキャップ４０の突起４２５をガイドする上下に長い案内（ガイド）凹２６５が形成される。
【００２４】
そして、キャップ４０が本体２０に装着されることにより第２隔室２２の内部側面にキャップ４０の傾斜するように形成された圧着面４３が現れ、下部より挿入される接続端子３０の連結板３３を圧着面４３の両側面で圧着する。
【００２５】
接続端子３０は金属板材を折り曲げて、水平板３２、接続板３１、及び連結板３３を形成する。連結板３３は平板形状で、接続板３１は連結板３３の両端部から下方にそれぞれ折り曲げられるように一対で形成される。そして、水平板３２は、前記接続板３１の両端部から外側に一定長さだけ突出されるように形成される。
【００２６】
又、連結板３３と連結される接続板３１の上部には蛍光灯１００の接続線１１０が装着される接続部材３５（接続されるエリア３５）がそれぞれ形成され、連結板３３には接続部材３５を互いに連結するように切開される切開口３４０が形成され挿入される蛍光灯１００の接続線１１０が一対の接続部材３５の接続凹３５３に装着される。接続凹３５３の上部は、図２の部分拡大図に図示されたように、外側に傾斜するように形成される案内面３５５が形成されて接続線１１０が接続凹３５３に容易に装着されることができるようにする。
【００２７】
そして、接続凹３５３には、一定の弾性を付与するために、下部に一定長さだけ切開された切開線３５１が形成され、切開線３５１の端部はラウンド（丸く）なるようにして、ノッチ（Ｖ字型の切れ込み）による応力集中が発生することを抑制することが好ましい。
【００２８】
接続板３１の下部側面には圧着口３１１が形成されるが、図３に図示されたように圧着口３１１は下方に傾いた階段形状を有する。例えば、複数個の突起が側面の下方に突出される。下方に傾いた階段形状によって接続端子３０が本体に挿入されるとき、本体２０の内壁にかかって本体２０の内壁が接続部材３５と合うようにする。
【００２９】
又、キャップ４０は、一定の厚みで「コ」の字形状に形成される上部板４１と上部板４１の下面から延長される側面板４２で形成されるが、側面板４２の両側面には突起４４が形成され本体２０の第２隔室２２の側面に形成された凹２４に挿入される。
【００３０】
そして、キャップ４０の側面板４２の内側には、傾斜するように形成された圧着面４３が形成され本体２０に装着された接続端子３０の連結板３３を側面から圧着させて固定させる。又、図３に図示すように、上部板４１の端部であって側面板４２の前方端部には長い突起形状の案内４２５が形成され本体２０の案内凹２６５に挿入される構成である。
【００３１】
本発明の前記のような構成による組立は、図７と図８を参照して説明する。
【００３２】
接続端子３０を本体２０の下部から上方に挿入すると、接続端子３０に形成された圧着口３１１は、第２隔室２２の貫通口２７に挿入させながら本体２０の内壁に挟まれる。このような状態で蛍光灯１００を本体２０の蛍光灯支持凹２５に装着すると、蛍光灯接続線１１０は接続端子３０の接続部材３５に連結され電気的に接続される。
【００３３】
次に、キャップ４０を本体２０の第２隔室２２の上部から下方に装着すると、案内口４２５は案内凹２６５に挿入されつつ下降し、側面板４２の外側に形成された突起４４は本体２０の第２隔室２２の側面に形成された突起凹２４に挿入され結合される。又、図５と図６に図示すようにキャップ４０に形成された圧着面４３は接続端子３０の連結板３３を両側面で圧迫して接続線１１０が接続凹３５３の内部に圧着されるようにして堅固に装着される。
【００３４】
図９と図１０には、他の実施例が図示されているが、図９には接続端子３０の接続部材３５が切開線３５１と接続凹３５３で構成され、接続凹３５３は上下に長いホールを形成する。
【００３５】
そして、図１０に図示された接続部材３５は切開線３５１と接続凹３５３及び案内面３５５で構成されるが、接続凹３５３と案内面３５５が一定距離だけ離隔されながら互いに連結している形状である。
【産業上の利用可能性】
【００３６】
本発明の前記のような構成によって、蛍光灯との電気的な接続が安定的に行われノイズやスパークの発生を抑制し、装着される蛍光灯を確実に固定することができることから、ランプ固定ユニットの商品性が高まる。
【００３７】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３８】
【図１】本発明の一実施例による固定ユニットの斜視図である。
【図２】図１の固定ユニットの分離斜視図である。
【図３】図１の固定ユニットの部分切断斜視図である。
【図４】図１のＡ−Ａ’に沿って切断した断面図である。
【図５】図１のＢ−Ｂ’に沿って切断した断面図である。
【図６】図５の部分拡大図である。
【図７】組立過程を説明するための図である。
【図８】組立過程を説明するための図である。
【図９】更に他の実施例を説明するための図である。
【図１０】更に他の実施例を説明するための図である。
【符号の説明】
【００３９】
１０    固定ユニット
２０    本体
２１    第１隔室
２２    第２隔室
２３    接続線支持凹
２４    凹部
２５    蛍光灯支持凹
２６    隔壁
３０    接続端子
３１    接続板
３２    水平板
３３    連結板
３５    接続部材
４０    キャップ
４１    上部板
４２    側面板
４３    圧着面
４４    突起
３１１    圧着口
３４０    切開口
３５１    切開線
３５３    接触凹
【図１】
2008210806.tif 000003
【図２】
2008210806.tif 000004
【図３】
2008210806.tif 000005
【図４】
2008210806.tif 000006
【図５】
2008210806.tif 000007
【図６】
2008210806.tif 000008
【図７】
2008210806.tif 000009
【図８】
2008210806.tif 000010
【図９】
2008210806.tif 000011
【図１０】
2008210806.tif 000012